(57)【特許請求の範囲】
【請求項１】
複数に分割成形された流路部品（１，２，３，３′）の内部に亘って給水流路（Ｗ）を形成し、この給水流路（Ｗ）の途中に配設された開閉弁（Ｖ）を開閉手段の操作により開閉して、給水流路内の水が吐出される散水ノズルにおいて、
前記各流路部品（１，２，３，３′）の接合箇所に複数の止め輪（５ａ，５ｂ）を装着して相互に連結し、これら流路部品（１，２，３，３′）の外側にカバー（７）を、係止手段（８）により着脱自在に取り付けて、流路部品（１，２，３，３′）及び止め輪（５ａ，５ｂ）を覆い、このカバー（７）の内面には、上記止め輪（５ａ，５ｂ）の外面と夫々対向当接する拡径防止部（７ａ，７ｂ）を設けたことを特徴とする散水ノズル。
【請求項２】
複数に分割成形された流路部品（１，２，３，３′）の内部に亘って給水流路（Ｗ）を形成し、この給水流路（Ｗ）の途中に配設された開閉弁（Ｖ）を開閉手段の操作により開閉して、給水流路内の水が吐出される散水ノズルにおいて、
前記開閉手段のレバー（６）と対向する流路部品（１，２）の接合箇所に止め輪（５ａ）を装着し、このレバー（６）には、それが開弁方向へ移動した際に止め輪（５ａ）と対向当接する拡径防止部（６ｂ）を設けたことを特徴とする散水ノズル。
【請求項３】
複数に分割成形された流路部品（１，２，３，３′）の内部に亘って給水流路（Ｗ）を形成し、この給水流路（Ｗ）の途中に配設された開閉弁（Ｖ）を開閉手段の操作により開閉して、給水流路内の水が吐出される散水ノズルにおいて、
前記流路部品（１，２，３，３′）の先端部にノズルヘッド（４）を嵌挿して接合させ、この接合箇所に止め輪（５ｃ）を挿入装着して回転自在に連結し、この止め輪（５ｃ）の挿入方向一端側をカバー（７）で覆うと共に、他端側には該止め輪（５ｃ）へ向けて突出する抜け止め部（２ｇ）を、上記カバー（７）の開口部（７ｄ）内に位置させて設けたことを特徴とする散水ノズル。
【発明の詳細な説明】
【０００１】
【発明の属する技術分野】
本発明は、レバー操作により散水・止水制御する散水ノズルに関する。
詳しくは、複数に分割成形された流路部品の内部に亘って給水流路を形成し、この給水流路の途中に配設された開閉弁を開閉手段の操作により開閉して、ホースから供給された水を給水流路の先端から吐出させる散水ノズルに関する。
【０００２】
【従来の技術】
従来、この種の散水ノズルとして、ノズル本体の基端部に止水シリンダーを嵌挿し接着や溶着で連結固定され、ノズル本体の先端部に筒状のヘットシリンダーを嵌挿し接着や溶着で連結固定されると共に、これらに亘って略Ｌ字状の一体となった給水流路が形成され、上記止水シリンダー内の摺動パイプと連係するレバーの操作により、給水流路内に配備された開閉弁を開閉させ、止水シリンダーの外周に握持部のカバーを接着や溶着で連結固定し、上記ヘットシリンダーの外周には、操作部のノズルヘッドを回転に伴って進退自在に装着したものがある（例えば、特許文献１参照）。
更にこのものは、ノズル本体の基端部に連結された基端固定管の外周面に、回転管を回転自在に嵌挿し、この回転管の外方から止め輪（連結リング）を挿入して、該止め輪の爪部を基端固定管の環状溝部に嵌着させることにより、止め輪と回転管とが一体的に基端固定管の外周で回転可能に取り付けられ、上記回転管及び止め輪の外側には、これらを被覆するカバー体が取り付けられている。
また、内部に開閉弁及びレバーが配備された把持部の上端開口に外筒を固定し、この外筒の内側に内筒が接着や溶着で連結固定されると共に、ノズル本体を前後動可能に支持したものもある（例えば、特許文献２参照）。
更にこのものは、外筒の内側に有底筒状の駆動ねじ体が回転自在に嵌挿され、その内周に対し、ノズル本体に圧入・接着されたプラグを螺合してノズル本体を前後動させると共に、上記外筒の外周に周設した細溝を通して、外からＥ形止め輪が挿入され、その内周を駆動ねじ体の外周溝に嵌合することにより、駆動ねじ体が外筒の内側に対して軸線方向への移動を規制しつつ回転のみ可能としている。
【０００３】
【特許文献１】
特公平６−６１４８９号公報（第２〜３頁、第１〜３図）
【特許文献２】
実用新案登録第２５５０６２０号公報（第２〜４頁、図１〜図４）
【０００４】
【発明が解決しようとする課題】
しかし乍ら、このような従来の散水ノズルでは、複数に分割成形した流路部品同士が接着や溶着などで連結固定されるため、密接部分に配備されたＯリングなどの消耗品を交換できないと共に、不意に損傷させた部品の交換や、動きの悪くなった摺動部分にグリース塗布するなどのメンテナンスができないという問題がある。
そこで、例えばＥ形リングなどの止め輪を使用して流路部品同士を着脱自在に接続する方法も考えられるが、この場合には、下記のような不具合がある。
止め輪は、その内部に形成された給水流路内の水圧が上昇して流路部品同士を引き離そうとする力が作用した際、止め輪とその挿入孔とにクリアランスがあると、水圧により止め輪が外れる方向へ膨らんで脱落する現象が生じ、それにより流路部品同士が分離して水漏れしたり、最悪の場合には自然に分解されてしまう。
特に散水ノズルの流路部品は、殆どが樹脂成型品であるが、樹脂成型品に止め輪の挿入孔を一体成形するため、この挿入孔と止め輪とのクリアランスを無くすることは非常に困難である。
更に止め輪を外部へ露出させて配置した場合には、外から見えるために強度的に不安があると共に、落下時などで止め輪に何かが接触すると、外れる恐れがあり、しかも設計時のデザイン段階での規制があり、デザインに違和感がある。
【０００５】
本発明のうち請求項１記載の発明は、流路部品同士を接合箇所が露出することなく確実に連結してしかも分解可能な散水ノズルを提供することを目的としたものである。
請求項２記載の発明は、止め輪がカバーで覆えないレバー側に外れるのを完全に防止することを目的としたものである。
請求項３記載の発明は、回転移動する止め輪が外れるのを完全に防止することを目的としたものである。
【０００６】
【課題を解決するための手段】
前述した目的を達成するために、本発明のうち請求項１記載の発明は、各流路部品１，２，３，３′の接合箇所に複数の止め輪５ａ，５ｂを装着して相互に連結し、これら流路部品１，２，３，３′の外側にカバー７を、係止手段８により着脱自在に取り付けて、流路部品１，２，３，３′及び止め輪５ａ，５ｂを覆い、このカバー７の内面には、上記止め輪５ａ，５ｂの外面と夫々対向当接する拡径防止部７ａ，７ｂを設けたことを特徴とするものである。
請求項２記載の発明は、開閉手段のレバー６と対向する流路部品１，２の接合箇所に止め輪５ａを装着し、このレバー６には、それが開弁方向へ移動した際に止め輪５ａと対向当接する拡径防止部６ｂを設けたことを特徴とするものである。
請求項３記載の発明は、流路部品１，２，３，３′の先端部にノズルヘッド４を嵌挿して接合させ、この接合箇所に止め輪５ｃを挿入装着して回転自在に連結し、この止め輪５ｃの挿入方向一端側をカバー７で覆うと共に、他端側には該止め輪５ｃへ向けて突出する抜け止め部２ｇを、上記カバー７の開口部７ｄ内に位置させて設けたことを特徴とするものである。
【０００７】
【作用】
請求項１の発明の作用は、各流路部品１，２，３，３′の接合箇所に止め輪５ａ，５ｂを装着して着脱自在に連結した状態で、その外からカバー７を係止手段８により着脱自在に取り付ければ、止め輪５ａ，５ｂがカバー７で覆われると共に、このカバー７の内面に設けた拡径防止部７ａ，７ｂが止め輪５ａ，５ｂの外面と夫々当接することにより、給水路Ｗ内の水圧が上昇しても止め輪５ａ，５ｂが外れる方向へ膨らまないものである。
請求項２の発明の作用は、開閉手段のレバー６と対向する流路部品１，２の接合箇所に装着された止め輪５ａは、カバー７で覆われないレバー６側へ膨らみ易いが、レバー６を開弁方向へ移動させることにより、その拡径防止部６ｂが止め輪５ａに当接して、給水路Ｗ内の水圧が上昇しても止め輪５ａがレバー６側へ膨らまないものである。
請求項３の発明の作用は、ノズルヘッド４の回転操作に伴って止め輪５ｃが回転移動しても、この止め輪５ｃはその挿入方向両側からカバー７と抜け止め部２ｇとで挟み込まれることにより、止め輪５ｃをどちらか方向から挿入しても、カバー７か又は抜け止め部２ｇに突き当たって抜け方向への移動が阻止されるものである。
【０００８】
【発明の実施の形態】
以下、本発明の各実施例を図面に基づいて説明する。
【０００９】
【実施例１】
この実施例は、図１〜図６に示す如く、複数に分割成形された流路部品が、夫々樹脂成型された止水シリンダー１と、ヘッドシリンダー２と、閉塞キャップ３であり、夫々の端部を相互に嵌挿して接合させると共に、これらの接合箇所を複数の止め輪５ａ，５ｂで着脱自在に連結することにより、その内部に略Ｌ字状の給水流路Ｗが形成され、この給水流路Ｗの途中である止水シリンダー１の内部に開閉弁Ｖが配備された場合を示すものである。
【００１０】
詳しくは図１及び図２と図５に示す如く、止水シリンダー１の先端開口部１ａにヘッドシリンダー２の基端部２ａを嵌挿して接合し、この接合部分に亘って開穿された凹溝１ｂ，２ｂに対し、止め輪５ａを装着することにより、両者が軸方向へ抜け止めされると共に、その接合面に形成した廻り止め部１ｃにより回転不能に連結されている。
【００１１】
この止め輪５ａとは、二重に挿入される接合箇所に亘って開穿した凹溝に嵌挿して両者を少なくとも軸方向へ移動不能に接続させる従来周知構造の軸用止め輪であり、図示例ではＥ形リングを使用しているが、それ以外の形状のものを使用しても良い。
更に図示例では、止水シリンダー１の基端部にホース接続部１ｄを介してホース（図示せず）が接続され、これにより水栓から給水される。
【００１２】
ヘッドシリンダー２の中間突出部２ｃには、図１及び図３と図５に示す如く、閉塞キャップ３を嵌挿して接合することにより、ヘッドシリンダー２内の延長通路が閉鎖され、この接合部分に亘って開穿された凹溝２ｄ，３ａに対し、止め輪５ｂとして例えばＥ形リングを装着することにより、両者が軸方向へ抜け止めされると共に回転自在に連結されている。
【００１３】
ヘッドシリンダー２の先端部には、図１及び図４と図５に示す如く、ノズルヘッド４を嵌挿して、これらの対向面に夫々形成されたネジ部２ｅ，４ａを螺合させることにより、ヘッドシリンダー２の先端部に対してノズルヘッド４が軸方向へ進退自在に支持される。
【００１４】
更にノズルヘッド４の基端部に貫通開穿された凹溝４ｂと、これに対向してヘッドシリンダー２の先端部外周面に凹設された凹溝２ｆに対し、止め輪５ｃとして例えばＵ形リングを、貫通された凹溝４ｂのどちらか一方から挿入し装着することにより、ノズルヘッド４と止め輪５ｃが回転自在でしかも軸方向へ所定区間のみ往復動自在に連結されている。
【００１５】
図示例では、ノズルヘッド４を手動で回転操作して進退移動させることにより、ノズルヘッド４の前面から吐出する水が直射・拡散・ジョーロ・シャワーの各状態に切り換えられるようになっている。
【００１６】
また、止水シリンダー１の内部に配備された開閉弁Ｖは、その弁体Ｖ１を軸方向へ移動自在に支持し、この弁体Ｖ１を往復動させる開閉手段としてレバー６が止水シリンダー１の前面側に揺動自在に取り付けられ、図示例の場合には図１に示す如く、弁体Ｖ１とレバー６の間にアームＶ２を揺動自在に配設し、レバー６の手動操作に伴ってアームＶ２を介して弁体Ｖ１が往復動して開閉するようになっている。
【００１７】
このレバー６は、図２及び図５に示す如く、合成樹脂により断面コの字形に成型された樹脂成型品であり、その開口部分６ａが止水シリンダー１の前面側と対向するように配置されている。
【００１８】
そして、上述した流路部品である止水シリンダー１、ヘッドシリンダー２及び閉塞キャップ３とノズルヘッド４の外側には、図１及び図６に示す如く、少なくとも開閉手段のレバー６と対応する面全体が開口したカバー７を、係止手段８により着脱自在に取り付けて、流路部品１，２，３及びノズルヘッド４の基端部外周及び止め輪５ａ，５ｂ，５ｃの全てを覆う。
【００１９】
このカバー７は、上述した流路部品１，２，３及びノズルヘッド４やレバー６と同様に合成樹脂により成型された樹脂成型品であり、本実施例の場合には図６に示す如く、止水シリンダー１、ヘッドシリンダー２及び閉塞キャップ３とノズルヘッド４の基端部と嵌合するように前面側と底面側を開口させている。
【００２０】
更に、カバー７を流路部品１，２，３及びノズルヘッド４の基端部外周に取り付けるための係止手段８は、カバー７の開口側を流路部品１，２，３及びノズルヘッド４と対向するように向け押し込むだけで、互いに係合して外れ防止される取り付け構造である。
【００２１】
本実施例の場合には、止水シリンダー１の基端部の外面及びヘッドシリンダー２の中間部の外面と、これに対応するカバー７の内面に、互いに係合する凸部８ａと凹部８ｂのどちらか一方を夫々形成している。
【００２２】
図示例では、止水シリンダー１の基端部の外面及びヘッドシリンダー２の中間部の外面に凸部８ａを夫々一対ずつ計４個一体に突設し、カバー７の対応位置に凹部８ｂ…を貫通開穿すると共に、上記凸部８ａ…に連続して傾斜面８ｃ…を形成することにより係合し易くしているが、これに限定されず、凸部８ａ…，８ｂ…の配置、形状、個数は他の構造であっても良い。
【００２３】
また、上記カバー７の内面には、前記止め輪５ａ，５ｂの外面と夫々対向当接する拡径防止部７ａ，７ｂを設け、本実施例では、前記止め輪５ｃの外面と対向当接する拡径防止部７ｃも設けている。
【００２４】
前記止め輪５ａは、図２に示す如く、止水シリンダー１の先端開口部１ａとヘッドシリンダー２の基端部２ａとの接合部分に装着されるが、止水シリンダー１の前面側には開閉弁Ｖのレバー６が配置されるため、この前面側を除いた三面を覆うカバー７の内面に少なくとも三方向から拡径防止部７ａ…を一体に形成している。
【００２５】
図示例では、前記止め輪５ａとしてＥ形リングを止水シリンダー１の側方から嵌挿して装着しているが、そのレバー６側はカバー７で覆われず露出し、この露出した部分が給水流路Ｗの水圧上昇により膨らんで外れる可能性がある。
そこで、レバー６を開弁方向へ移動した際に、止め輪５ａのレバー６側に露出する部分と対向当接する拡径防止部６ｂを突設して、止め輪５ａがレバー６側へ膨らむのを阻止する。
【００２６】
前記止め輪５ｂは、図３に示す如く、その外周全体に亘ってカバー７により覆われているため、この止め輪５ａとして装着したＥ形リングに向けて、カバー７の内面に少なくとも三方向から拡径防止部７ｂ…を突設すれば、止め輪５ｂの膨らみが阻止される。
【００２７】
前記止め輪５ｃは、図４に示す如く、ノズルヘッド４の基端部に貫通開穿された凹溝４ｂのどちらか一方から挿入して、その先端に突設された一対の爪部５ｄ，５ｄを係止させるが、本実施例ではカバー７の底面側は開口しているため、この底面側を除いた三面を覆うカバー７の内面に少なくとも三方向から拡径防止部７ｃ…を形成して、止め輪５ｃの抜けを阻止している。
【００２８】
図示例では、前記止め輪５ｃとしてＵ形リングを上方から下向きに挿入して装着した状態では、拡径防止部７ｃ…により抜けが阻止されるものの、ノズルヘッド４の回転操作に伴って止め輪５ｃも回転移動し、カバー７の底面側、即ち図面では下側へ至った際に、衝撃や接触などによりＵ形リングの爪部５ｄ，５ｄの係止が外れると、そのまま下方へ抜け落ちてしまう可能性がある。
【００２９】
そこで、この止め輪５ｃへ向けて突出する抜け止め部２ｇを、ヘッドシリンダー２の中間部にカバー７の底面開口部７ｄ内に位置させて設け、それにより止め輪５ｃが該カバー７の底面開口部７ｄ側へ抜け落ちるのを阻止している。
【００３０】
次に、斯かる散水ノズルの作用について説明する。
先ず図６に示す如く、流路部品である止水シリンダー１、ヘッドシリンダー２及び閉塞キャップ３とノズルヘッド４の接合箇所に止め輪５ａ，５ｂ，５ｃを装着して着脱自在に連結し、この状態で、その外からカバー７を係止手段８により着脱自在に取り付ければ、止め輪５ａ，５ｂ，５ｃの全てがカバー７で覆われると共に、このカバー７の内面に設けた拡径防止部７ａ，７ｂ，７ｃが止め輪５ａ，５ｂ，５ｃの外面と夫々当接する。
【００３１】
それにより、開閉弁Ｖの開閉動作に伴い給水路Ｗ内の水圧が著しく上昇しても止め輪５ａ，５ｂが外れる方向へ膨らむことはない。
その結果、流路部品同士を接合箇所が露出することなく確実に連結してしかも分解可能な散水ノズルを提供できる。
【００３２】
更に本実施例の場合には、開閉手段のレバー６と対向する止水シリンダー１とヘッドシリンダー２の接合箇所に装着された止め輪５ａが、カバー７で覆われないレバー６側へ膨らみ易いが、レバー６を開弁方向へ移動させれば、その拡径防止部６ｂが止め輪５ａに当接して、給水路Ｗ内の水圧が上昇しても止め輪５ａがレバー６側へ膨らまない。
その結果、止め輪５ａがカバー７で覆えないレバー６側に外れるのを完全に防止できるという利点がある。
【００３３】
また、ノズルヘッド４の回転操作に伴って止め輪５ｃが回転移動しても、この止め輪５ｃは、その挿入方向両側からカバー７と抜け止め部２ｇとで挟み込まれるから、該止め輪５ｃをどちらかの方向から挿入しても、カバー７か又は抜け止め部２ｇに突き当たって抜け方向への移動が阻止される。
その結果、回転移動する止め輪５ｃがカバー７の開口部７ｄ側へ外れて抜け落ちるのを完全に防止できるという利点がある。
【００３４】
【実施例２】
この実施例は、図７に示す如く、前記閉塞キャップ３に代えて流量調整シリンダー３′をヘッドシリンダー２内の延長通路に嵌挿して接合し、この接合部分に亘って開穿された凹溝２ｄ，３ａ′に止め輪５ｂを装着して、両者が軸方向へ抜け止めされると共に回転自在に連結され、上記流量調整シリンダー３′に固着した調節つまみ３ｂ′の回転操作により所望の流量に調節可能した構成が、前記図１〜図６に示した実施例１とは異なり、それ以外の構成は実施例１と同じものである。
【００３５】
従って、図７に示す実施例２も、前記図１〜図６に示した実施例１と同様な作用効果が得られる。
【００３６】
尚、前示各実施例では、複数に分割成形された流路部品を、止水シリンダー１と、ヘッドシリンダー２と、閉塞キャップ３としたが、これに限定されず、他の流路部品であっても良い。
更にヘッドシリンダー２の先端部にノズルヘッド４を嵌挿して止め輪５ｃにより回転自在でしかも軸方向へ所定区間のみ往復動自在に連結したが、これに限定されず、ノズルヘッド４を連結しなくても良いし、他の連結方法で連結しても良い。
【００３７】
【発明の効果】
以上説明したように、本発明のうち請求項１記載の発明は、各流路部品１，２，３，３′の接合箇所に止め輪５ａ，５ｂを装着して着脱自在に連結した状態で、その外からカバー７を係止手段８により着脱自在に取り付ければ、止め輪５ａ，５ｂがカバー７で覆われると共に、このカバー７の内面に設けた拡径防止部７ａ，７ｂが止め輪５ａ，５ｂの外面と夫々当接することにより、給水路Ｗ内の水圧が上昇しても止め輪５ａ，５ｂが外れる方向へ膨らまないので、流路部品同士を接合箇所が露出することなく確実に連結してしかも分解可能な散水ノズルを提供することができる。
従って、複数に分割成形した流路部品同士が接着や溶着などで連結固定される従来のものに比べ、Ｏリングなどの消耗品の交換や不意に損傷させた部品の交換が可能となると共に、動きの悪くなった摺動部分にグリース塗布するなどのメンテナンスを行うことができる。
更に止め輪を使用して流路部品同士を着脱自在に接続しただけの従来構造に比べ、流路部品が樹脂成型品で給水流路内の水圧が上昇しても、水漏れや自然分解せず、しかも止め輪が外部へ露出しないから、使用中の落下時などで脱落することがなく、見た目にも不安要素が解消されると共に、デザイン的にも違和感がなくデザイン時の規制がなくなる。
また流路部品を提供すれば、ユーザーで独自の部品の形状・カラーを交換できて、バリエーションが増えるだけでなく、部品の共有化がし易くて、バリエーションの多い商品では部品管理がし易いと共に、廃棄物として排出する場合、分解して分別できるから、リサイクルとして限りある資源を有効利用することができる。
【００３８】
請求項２の発明は、開閉手段のレバー６と対向する流路部品１，２の接合箇所に装着された止め輪５ａは、カバー７で覆われないレバー６側へ膨らみ易いが、レバー６を開弁方向へ移動させることにより、その拡径防止部６ｂが止め輪５ａに当接して、給水路Ｗ内の水圧が上昇しても止め輪５ａがレバー６側へ膨らまないので、止め輪５ａがカバー７で覆えないレバー６側に外れるのを完全に防止できる。
【００３９】
請求項３の発明は、ノズルヘッド４の回転操作に伴って止め輪５ｃが回転移動しても、この止め輪５ｃはその挿入方向両側からカバー７と抜け止め部２ｇとで挟み込まれることにより、止め輪５ｃをどちらの方向から挿入しても、カバー７か又は抜け止め部２ｇに突き当たって抜け方向への移動が阻止されるので、回転移動する止め輪５ｃが外れるのを完全に防止できる。
【図面の簡単な説明】
【図１】  本発明の一実施例を示す散水ノズルの縦断正面図である。
【図２】  図１の（２）−（２）線に沿える拡大横断平面図である。
【図３】  図１の（３）−（３）線に沿える部分的な拡大縦断側面図である。
【図４】  図１の（４）−（４）線に沿える部分的な拡大縦断側面図である。
【図５】  カバー以外の分解斜視図である。
【図６】  カバー装着状態を示す一部切欠斜視図である。
【図７】  本発明の他の実施例を示す散水ノズルの縦断正面図である。
【符号の説明】
Ｖ  開閉弁                            Ｗ  給水流路
１  流路部品（止水シリンダー）        ２  流路部品（ヘッドシリンダー）
２ｇ  抜け止め部                      ３  流路部品（閉塞キャップ）
３′  流路部品（流量調整シリンダー）  ４  ノズルヘッド
５ａ，５ｂ，５ｃ  止め輪              ６  レバー
６ｂ  拡径防止部                      ７  カバー
７ａ，７ｂ  拡径防止部                ７ｄ  開口部
８  係止手段
【図１】
0003714626.tif 000002
【図２】
0003714626.tif 000003
【図３】
0003714626.tif 000004
【図４】
0003714626.tif 000005
【図５】
0003714626.tif 000006
【図６】
0003714626.tif 000007
【図７】
0003714626.tif 000008